(57)【要約】【課題】ネットワークを通じて割引や特典などのサービスを受けるのに好適なシステムを提供する。【解決手段】携帯端末１が備えるＩＣカードをリーダ・ライタ２が読み取る。リーダ・ライタ２は、ＩＣカードＩＤに対して一意なパスワードを取得し、サーバ３にアクセスするためのＵＲＬに付加して携帯端末１に送信する。また、リーダ・ライタ２は、ＩＣカードＩＤとパスワード等を対応付けてサーバ３に送信する。携帯端末１からサーバ３にアクセスされると、サーバ３はＵＲＬに付加されたパスワードとリーダ・ライタ２から送信されたパスワードとが一致するか判別し、一致するパスワードがあれば、そのパスワードに対応するＩＣカードＩＣと携帯端末１を識別するための情報である携帯端末ＩＤとを対応付ける。【選択図】図１
2010181988.tif 000002
【特許請求の範囲】
【請求項１】
無線通信によりＩＣカードと通信する機能を有するリーダ・ライタと、当該リーダ・ライタとＩＣカードを備える携帯端末とネットワークを通じて接続するサーバと、から構成される利用者登録システムであって、
前記リーダ・ライタは、
前記携帯端末のＩＣカードから当該ＩＣカードに固有のＩＣカード識別情報を読み取るＩＣカード読取手段と、
前記ＩＣカード読取手段が前記ＩＣカード識別情報を読み取ったときに、記憶装置から当該ＩＣカード識別情報に対して一意なパスワードを取得するパスワード取得手段と、
前記サーバへアクセスするためのアクセス情報を、前記パスワード取得手段が取得した前記パスワードを付加して、前記ＩＣカード読取手段が前記ＩＣカード識別情報を読み取った前記ＩＣカードに送信するアクセス情報送信手段と、
前記パスワード取得手段が取得した前記パスワードと、当該パスワードに対応する前記ＩＣカード識別情報と、を前記サーバに送信する送信手段と、を備え、
前記サーバは、
前記携帯端末から前記アクセス情報を用いてアクセスがあった際に、当該アクセス情報に付加された前記パスワードと当該携帯端末固有の携帯端末識別情報とを取得する取得手段と、
前記リーダ・ライタの前記送信手段が送信した前記パスワードと、前記取得手段が取得した前記パスワードと、が一致した場合、当該パスワードに対応する前記ＩＣカード識別情報と、当該パスワードに対応する前記携帯端末識別情報と、を対応付けて利用者情報として記憶領域に登録する登録手段と、を備える
ことを特徴とする利用者登録システム。
【請求項２】
前記サーバは、
前記リーダ・ライタに前記パスワードを配布するパスワード配布手段と、
前記パスワード配布手段が配布したパスワードを配布済みパスワードとして前記記憶領域に記憶する配布済みパスワード記憶手段と、を更に備え、
前記リーダ・ライタの前記パスワード取得手段は、前記サーバの前記パスワード配布手段が配布した前記パスワードを取得し、
前記サーバは、前記携帯端末からアクセスがあった際に、前記アクセスするための情報に付加された前記パスワードが前記配布済みパスワードであるか否かを判別することにより前記携帯端末を認証する認証手段をさらに備える
ことを特徴とする請求項１に記載の利用者登録システム。
【請求項３】
前記リーダ・ライタは、自己が提供するサービス情報を前記サーバに送信するサービス情報送信手段を更に備え、
前記サーバの前記登録手段は、前記リーダ・ライタの前記サービス情報送信手段から送信された前記サービス情報を前記利用者情報に更に対応付けて登録し、
前記サーバは、前記携帯端末からアクセスがあった際に、当該携帯端末の前記携帯端末識別情報に対応付けられる前記サービス情報を当該携帯端末に送信する利用者情報送信手段を更に備える
ことを特徴とする請求項１又は２に記載の利用者登録システム。
【請求項４】
無線通信によりＩＣカードと通信する機能を有し、当該ＩＣカードに関する情報を登録するサーバとネットワークを通じて接続されるリーダ・ライタであって、
前記ＩＣカードを備える携帯端末と通信して当該ＩＣカードに固有のＩＣカード識別情報を読み取るＩＣカード読取手段と、
前記ＩＣカード読取手段が前記ＩＣカード識別情報を読み取ったときに、記憶装置から当該ＩＣカード識別情報に対して一意なパスワードを取得するパスワード取得手段と、
前記サーバへアクセスするためのアクセス情報を、前記パスワード取得手段が取得した前記パスワードを付加して、前記ＩＣカード読取手段が前記ＩＣカード識別情報を読み取った前記ＩＣカードに送信するアクセス情報送信手段と、
前記パスワード取得手段が取得した前記パスワードと、当該パスワードに対応する前記ＩＣカード識別情報と、を前記ＩＣカードに関する情報として前記サーバに送信する送信手段と、
を備えることを特徴とするリーダ・ライタ。
【請求項５】
ＩＣカードを備える携帯端末と、無線通信によりＩＣカードと通信する機能を有するリーダ・ライタと、ネットワークを通じて接続されるサーバであって
前記携帯端末からアクセスがあった際に、当該携帯端末からサーバへアクセスするための情報に付加されたパスワードと当該携帯端末固有の携帯端末識別情報とを取得する取得手段と、
前記リーダ・ライタが送信したパスワードと、前記取得手段が取得した前記パスワードと、が一致した場合、当該パスワードに対応する前記リーダ・ライタから送信されたＩＣカード識別情報と、当該パスワードに対応する前記携帯端末識別情報と、を対応付けて利用者情報として記憶領域に登録する登録手段と、
を備えることを特徴とするサーバ。
【請求項６】
無線通信によりＩＣカードと通信する機能を有し、当該ＩＣカードに関する情報をサーバに登録する利用者登録方法であって、
前記ＩＣカードを備える携帯端末と通信して当該ＩＣカードに固有のＩＣカード識別情報を読み取るＩＣカード読取ステップと、
前記ＩＣカード読取ステップで前記ＩＣカード識別情報を読み取ったときに、記憶装置から当該ＩＣカード識別情報に対して一意なパスワードを取得するパスワード取得ステップと、
前記サーバへアクセスするためのアクセス情報を、前記パスワード取得ステップで取得した前記パスワードを付加して、前記ＩＣカード読取ステップで前記ＩＣカード識別情報を読み取った前記ＩＣカードに送信するアクセス情報送信ステップと、
前記パスワード取得ステップで取得した前記パスワードと、当該パスワードに対応する前記ＩＣカード識別情報と、を前記ＩＣカードに関する情報として前記サーバに送信する送信ステップと、
を備えることを特徴とする利用者登録方法。
【請求項７】
無線通信によりＩＣカードと通信する機能を有し、前記ＩＣカードに関する情報を登録するサーバとネットワークを通じて接続されるコンピュータを、
前記ＩＣカードを備える携帯端末と通信して当該ＩＣカードに固有のＩＣカード識別情報を読み取るＩＣカード読取手段、
前記ＩＣカード読取手段が前記ＩＣカード識別情報を読み取ったときに、記憶装置から当該ＩＣカード識別情報に対して一意なパスワードを取得するパスワード取得手段、
前記サーバへアクセスするためのアクセス情報を、前記パスワード取得手段が取得した前記パスワードを付加して、前記ＩＣカード読取手段が前記ＩＣカード識別情報を読み取った前記ＩＣカードに送信するアクセス情報送信手段、
前記パスワード取得手段が取得した前記パスワードと、当該パスワードに対応する前記ＩＣカード識別情報と、を前記ＩＣカードに関する情報として前記サーバに送信する送信手段、
として機能させることを特徴とするプログラム。
【発明の詳細な説明】
【技術分野】
【０００１】
本発明は、利用者登録システム、リーダ・ライタ、サーバ、利用者登録方法、及びプログラムに関する。
【背景技術】
【０００２】
近年、店舗等に近距離無線（非接触通信）を利用した読取装置・情報配信装置（リーダ・ライタ）を設置し、店舗の利用者の所持する端末装置でこれらと通信を行うことで、割引クーポンやポイントなどの特典を受け取ることができるようにするシステムが存在する。店舗は、このようなシステムを設置することで来客を促している。
【０００３】
リーダ・ライタからＩＣカード機能付きの携帯端末にクーポン配布用のＵＲＬ（Uniform Resource Locator）を送出し、携帯端末の所持者がそのＵＲＬのウェブサイト（サーバ）へアクセスすることで、クーポン情報を取得するシステムが提案されている（例えば特許文献１）。
【０００４】
また、リーダ・ライタにＩＣカードを読み取らせ、ＩＣカード固有のＩＤをセンタで集中管理し、当該ＩＤに紐付くクーポンを配布するシステムも提案されている（例えば特許文献２）。
【先行技術文献】
【特許文献】
【０００５】
【特許文献１】特開２００８−１１７１５９号公報
【特許文献２】特開２００７−１１５２３５号公報
【発明の概要】
【発明が解決しようとする課題】
【０００６】
特許文献１のシステムでは、携帯端末の店員が提示されたクーポンを見てレジ操作により、手動で金額を割り引く等の処理を実行することになる。クーポンの種類が複数ある場合もあり、このような手動による運用は非常に煩わしく、ミスの原因にもなる。
【０００７】
さらに、このようなシステムを利用する場合の登録情報はサーバで管理するため、登録するために各種の識別情報をサーバに送信する際のセキュリティ対策も課題である。
【０００８】
また、特許文献２のシステムでは、クーポン情報を確認するためにはリーダ・ライタが設置されている店舗などに行く必要があり、利便性が損なわれていた。
【０００９】
本発明は、上記問題点に鑑みてなされたもので、ネットワークを通じて割引や特典などのサービスを受けるためのクーポンを受け取るために好適な利用者登録システム、リーダ・ライタ、サーバ、利用者登録方法、及びプログラムを提供することを目的とする。
【課題を解決するための手段】
【００１０】
上記目的を達成するため、本発明の第１の観点に係る利用者登録システムは、無線通信によりＩＣカードと通信する機能を有するリーダ・ライタと、当該リーダ・ライタとＩＣカードを備える携帯端末とネットワークを通じて接続するサーバと、から構成される利用者登録システムであって、前記リーダ・ライタは、前記携帯端末のＩＣカードから当該ＩＣカードに固有のＩＣカード識別情報を読み取るＩＣカード読取手段と、前記ＩＣカード読取手段が前記ＩＣカード識別情報を読み取ったときに、記憶装置から当該ＩＣカード識別情報に対して一意なパスワードを取得するパスワード取得手段と、前記サーバへアクセスするためのアクセス情報を、前記パスワード取得手段が取得した前記パスワードを付加して、前記ＩＣカード読取手段が前記ＩＣカード識別情報を読み取った前記ＩＣカードに送信するアクセス情報送信手段と、前記パスワード取得手段が取得した前記パスワードと、当該パスワードに対応する前記ＩＣカード識別情報と、を前記サーバに送信する送信手段と、を備え、前記サーバは、前記携帯端末から前記アクセス情報を用いてアクセスがあった際に、当該アクセス情報に付加された前記パスワードと当該携帯端末固有の携帯端末識別情報とを取得する取得手段と、前記リーダ・ライタの前記送信手段が送信した前記パスワードと、前記取得手段が取得した前記パスワードと、が一致した場合、当該パスワードに対応する前記ＩＣカード識別情報と、当該パスワードに対応する前記携帯端末識別情報と、を対応付けて利用者情報として記憶領域に登録する登録手段と、を備えることを特徴とする。
【００１１】
また、前記サーバは、前記リーダ・ライタに前記パスワードを配布するパスワード配布手段と、前記パスワード配布手段が配布したパスワードを配布済みパスワードとして前記憶領域に記憶する配布済みパスワード記憶手段と、を更に備え、前記リーダ・ライタの前記パスワード取得手段は、前記サーバの前記パスワード配布手段が配布した前記パスワードを取得し、前記サーバは、前記携帯端末からアクセスがあった際に、前記アクセスするための情報に付加された前記パスワードが前記配布済みパスワードであるか否かを判別することにより前記携帯端末を認証する認証手段をさらに備えるようにしてもよい。
【００１２】
また、前記リーダ・ライタは、自己が提供するサービス情報を前記サーバに送信するサービス情報送信手段を更に備え、前記サーバの前記登録手段は、前記リーダ・ライタの前記サービス情報送信手段から送信された前記サービス情報を前記利用者情報に更に対応付けて登録し、前記サーバは、前記携帯端末からアクセスがあった際に、当該携帯端末の前記携帯端末識別情報に対応付けられる前記サービス情報を当該携帯端末に送信する利用者情報送信手段を更に備えるようにしてもよい。
【００１３】
本発明の第２の観点に係るリーダ・ライタは、無線通信によりＩＣカードと通信する機能を有し、当該ＩＣカードに関する情報を登録するサーバとネットワークを通じて接続されるリーダ・ライタであって、前記ＩＣカードを備える携帯端末と通信して当該ＩＣカードに固有のＩＣカード識別情報を読み取るＩＣカード読取手段と、前記ＩＣカード読取手段が前記ＩＣカード識別情報を読み取ったときに、記憶装置から当該ＩＣカード識別情報に対して一意なパスワードを取得するパスワード取得手段と、前記サーバへアクセスするためのアクセス情報を、前記パスワード取得手段が取得した前記パスワードを付加して、前記ＩＣカード読取手段が前記ＩＣカード識別情報を読み取った前記ＩＣカードに送信するアクセス情報送信手段と、前記パスワード取得手段が取得した前記パスワードと、当該パスワードに対応する前記ＩＣカード識別情報と、を前記ＩＣカードに関する情報として前記サーバに送信する送信手段と、を備えることを特徴とする。
【００１４】
本発明の第３の観点に係るサーバは、ＩＣカードを備える携帯端末と、無線通信によりＩＣカードと通信する機能を有するリーダ・ライタと、ネットワークを通じて接続されるサーバであって前記携帯端末からアクセスがあった際に、当該携帯端末からサーバへアクセスするための情報に付加されたパスワードと当該携帯端末固有の携帯端末識別情報とを取得する取得手段と、前記リーダ・ライタが送信したパスワードと、前記取得手段が取得した前記パスワードと、が一致した場合、当該パスワードに対応する前記リーダ・ライタから送信されたＩＣカード識別情報と、当該パスワードに対応する前記携帯端末識別情報と、を対応付けて利用者情報として記憶領域に登録する登録手段と、を備えることを特徴とする。
【００１５】
本発明の第４の観点に係る利用者登録方法は、無線通信によりＩＣカードと通信する機能を有し、当該ＩＣカードに関する情報をサーバに登録する利用者登録方法であって、前記ＩＣカードを備える携帯端末と通信して当該ＩＣカードに固有のＩＣカード識別情報を読み取るＩＣカード読取ステップと、前記ＩＣカード読取ステップで前記ＩＣカード識別情報を読み取ったときに、記憶装置から当該ＩＣカード識別情報に対して一意なパスワードを取得するパスワード取得ステップと、前記サーバへアクセスするためのアクセス情報を、前記パスワード取得ステップで取得した前記パスワードを付加して、前記ＩＣカード読取ステップで前記ＩＣカード識別情報を読み取った前記ＩＣカードに送信するアクセス情報送信ステップと、前記パスワード取得ステップで取得した前記パスワードと、当該パスワードに対応する前記ＩＣカード識別情報と、を前記ＩＣカードに関する情報として前記サーバに送信する送信ステップと、を備えることを特徴とする。
【００１６】
本発明の第５の観点に係るプログラムは、無線通信によりＩＣカードと通信する機能を有し、前記ＩＣカードに関する情報を登録するサーバとネットワークを通じて接続されるコンピュータを、前記ＩＣカードを備える携帯端末と通信して当該ＩＣカードに固有のＩＣカード識別情報を読み取るＩＣカード読取手段、前記ＩＣカード読取手段が前記ＩＣカード識別情報を読み取ったときに、記憶装置から当該ＩＣカード識別情報に対して一意なパスワードを取得するパスワード取得手段、前記サーバへアクセスするためのアクセス情報を、前記パスワード取得手段が取得した前記パスワードを付加して、前記ＩＣカード読取手段が前記ＩＣカード識別情報を読み取った前記ＩＣカードに送信するアクセス情報送信手段、前記パスワード取得手段が取得した前記パスワードと、当該パスワードに対応する前記ＩＣカード識別情報と、を前記ＩＣカードに関する情報として前記サーバに送信する送信手段、として機能させることを特徴とする。
【発明の効果】
【００１７】
本発明によれば、ネットワークを通じて割引や特典などのサービスを受けるためのクーポンを受け取る利便性や安全性が向上する。
【図面の簡単な説明】
【００１８】
【図１】本発明の利用者登録システムを示す図である。
【図２】携帯端末の機能ブロック図である。
【図３】リーダ・ライタの機能ブロック図である。
【図４】サーバの機能ブロック図である。
【図５】サーバの記憶部に格納されるデータを示す図である。
【図６】ＩＣカード検出時処理の動作を示すフローチャートである。
【図７】情報受信時処理の動作を示すフローチャートである。
【図８】接続時処理の動作を示すフローチャートである。
【図９】利用者登録システムにおいて利用者登録情報を登録する際の動作を示す流れ図である。
【図１０】利用者登録システムにおいて利用者登録情報を更新する際の動作を示す流れ図である。
【図１１】利用者登録システムにおいてクーポンを利用する際の動作を示す流れ図である。
【発明を実施するための形態】
【００１９】
以下、本発明の実施形態に係る利用者登録システム１００について図面を参照しながら説明する。図１は、利用者登録システム１００を示す図である。図１に示すように、利用者登録システム１００は、携帯端末１、リーダ・ライタ２、サーバ３、から構成される。携帯端末１と、リーダ・ライタ２と、はインターネット４を通じてサーバ３に接続される。
【００２０】
図２に示すように、携帯端末１は、制御部１１、記憶部１２、操作部１３、表示部１４、ＩＣカード１５、音声出力部１６、音声入力部１７、通信部１８、バス１９を備える。携帯端末１は、非接触通信するＩＣカード１５を備え、インターネットに接続可能な携帯電話やＰＨＳである。
【００２１】
制御部１１は、マイクロプロセッサユニット等から構成され、携帯端末１全体の動作を制御する。例えば、制御部１１は、音声出力部１６、音声入力部１７、通信部１８を制御し携帯端末１の通話機能を制御する。また、制御部１１は、通信部１８を制御してインターネット４に接続する。そして、インターネット４を介してサーバ３に接続する。
【００２２】
記憶部１２は、各種のデータを記憶する。記憶部１２は、ワークエリアとなるＲＡＭ（Random Access Memory）や動作プログラムを格納するＲＯＭ（Read Only Memory）やフラッシュメモリなどから構成される。また、記憶部１２は、携帯端末１に内蔵されるメモリ、取り外し可能な外部メモリ、のいずれから構成されてもよい。記憶部１２の所定領域（例えば書き換え不可能な領域）には、携帯端末１を一意に識別可能な携帯端末ＩＤが格納されている。この携帯端末ＩＤは、インターネット４を介して所定のアクセス先に接続する際に認証情報として、アクセス要求に付加することができる。
【００２３】
操作部１３は、携帯端末１の外部に設けられるキーボード、カーソルキー等の操作に対応した操作信号を制御部１１に入力する。
【００２４】
表示部１４は、ドットマトリクスタイプのＬＣＤ（液晶表示）パネル等から構成される表示パネルとドライバ回路等とから構成され、制御部１１の制御下にて画像を表示パネルに表示する。
【００２５】
ＩＣカード１５は、非接触通信によりリーダ・ライタ２と通信し、所定の情報を送受する。ＩＣカード１５は、ＣＰＵや記憶装置から構成される。ＩＣカード１５の記憶装置の所定領域には、ＩＣカード１５のＣＰＵが実行するプログラムが格納される。また、ＩＣカード１５の記憶装置の所定領域（例えば書き換え不可能な領域）には、ＩＣカード１５を一意に識別可能なＩＣカードＩＤが格納されている。
【００２６】
音声出力部１６は、スピーカ、ＤＡＣ（Digital Analog Converter）等から構成され、例えば、通信部１８が受信した音声信号にＤＡ変換を施し、スピーカから出力する。音声入力部１７は、通話時等に、音声信号を収集し、通信部１８に供給する。通信部１８は、基地局を介して、通話音声、各種のデータ等を送受信する。バス１９は、各部間で相互にデータを伝送する。
【００２７】
図３に示すように、リーダ・ライタ２は、制御部２１、記憶部２２、通信部２３、非接触通信部２４、出力部２５、計時部２６、バス２７を備える。リーダ・ライタ２は、飲食店などの店舗に設置されるＩＣカードと非接触通信を行う端末装置である。リーダ・ライタ２は、代金の決済に使用するレジスターやＰＯＳ（Point Of Sale）端末に接続される。
【００２８】
制御部２１は、マイクロプロセッサユニット等から構成され、リーダ・ライタ２全体の動作を制御する。制御部２１は、通信部２３を制御してインターネット４に接続する。そして、インターネット４を介してサーバ３に接続する。
【００２９】
記憶部２２は、各種のデータを記憶する。記憶部２２は、ワークエリアとなるＲＡＭ（Random Access Memory）やリーダ・ライタ２の動作プログラムを格納するＲＯＭ（Read Only Memory）やハードディスクやフラッシュメモリなどから構成される。また、記憶部２２は、リーダ・ライタ２に内蔵されるメモリ、取り外し可能な外部メモリ、のいずれから構成されてもよい。
【００３０】
記憶部２２は、携帯端末１のＩＣカード１５に供給するための、ＵＲＬを格納する。携帯端末１は、このＵＲＬを使用してサーバ３に接続可能である。このＵＲＬは、リーダ・ライタ２にて提供可能なサービスが複数ある場合は、それぞれのサービスに対応して複数用意されてもよい。この制御部２１は、このＵＲＬをＩＣカード１５に供給する際に、ユニークなパスワードを付加する。このパスワードは、一度使用されると二度と同じパスワードが使用されることはないワンタイムパスワードである。このように、ＵＲＬにパスワードを付加するとことで、携帯端末１で、このＵＲＬを使用してサーバ３に接続した際にサーバにパスワードを通知することが可能である。なお、ＵＲＬには、パスワードの他に提供するサービスの情報、利用日時の情報、利用端末ＩＤなどを付加して、それらの情報もサーバ３に通知できるようにしてもよい。
【００３１】
パスワードは、サーバ３で生成され、サーバ３からリーダ・ライタ２に送信される。そして、リーダ・ライタ２の記憶部２２において、このようなパスワードが複数ストックされる。
【００３２】
また、記憶部２２は、後述のフローチャートに示す動作プログラムを格納する。また、リーダ・ライタ２に固有のＩＤである利用端末ＩＤを格納する。
【００３３】
通信部２３は、制御部２１の制御のもとインターネット４に接続し、所定のデータを送受する。
【００３４】
非接触通信部２４は、非接触通信により携帯端末１のＩＣカード１５と通信し、所定の情報を送受する。非接触通信部２４は、非接触通信で所定距離内にＩＣカード１５を検出すると、ＩＣカード１５を読み込む。詳細な動作については後述する。
【００３５】
出力部２５は、制御部２１の制御のもと、サーバ３から受信したクーポンデータを、出力部２５に接続されるレジスターやＰＯＳ端末に読み取り可能な形式で供給する。
【００３６】
計時部２６は、現在時刻を計時する。バス２７は、各部間で相互にデータを伝送する。
【００３７】
図４に示すように、サーバ３は、制御部３１、記憶部３２、通信部３３、バス３４を備える。サーバ３は、記憶装置を備え、インターネットに接続可能なコンピュータである。ディスプレイなどの表示装置や、キーボードやマウスなどの入力装置は適宜設けてもよい。
【００３８】
制御部３１は、マイクロプロセッサユニット等から構成され、サーバ３全体の動作を制御する。例えば、制御部３１は、通信部３３が受信したデータに基づいて所定の処理を実行する。詳細な動作については後述する。
【００３９】
記憶部３２は、各種のデータを記憶する。記憶部３２は、ワークエリアとなるＲＡＭ（Random Access Memory）や動作プログラムを格納するＲＯＭ（Read Only Memory）やハードディスクやフラッシュメモリなどから構成される。記憶部３２は、インターネット４を介して受信したデータなどを格納する。記憶部３２は、後述のフローチャートに示す動作プログラムを格納する。
【００４０】
また、記憶部３２は、利用者登録情報を記憶する。利用者登録情報は、本発明の利用者登録システム１００を利用するための登録情報である。図５（Ａ）は、利用者登録情報の構成例を示す図である。図５（Ａ）に示すように、利用者登録情報には、ＩＣカードＩＤ、携帯端末ＩＤ、利用者登録情報を登録する際に使用されたリーダ・ライタ２の情報である登録端末ＩＤ、提供サービス情報、登録日時、登録状況、パスワード、利用端末ＩＤ、利用日時の項目が設けられている。携帯端末ＩＤは、携帯端末１を一意に識別可能な識別情報である。ＩＣカードＩＤは、ＩＣカード１５を一意に識別可能な識別情報である。登録状況は、利用者登録情報の登録状況を示す。登録状況は、「仮登録」、「本登録」の二段階があり、「仮登録」では情報の閲覧やサービスの提供が制限される。
【００４１】
サーバ３の制御部３１は、リーダ・ライタ２へ配布するためのパスワードを所定のタイミングで生成し、図５（Ｂ）に示すように、記憶部３２のパスワードテーブルにストックしておく。そして、このパスワードは所定タイミングでリーダ・ライタ２に配布される。配布されたパスワードは図５（Ｃ）に示すように、記憶部３２の配布済みパスワードテーブルにストックされる。なお、パスワードは、リーダ・ライタ２の側から所定のタイミング（例えば、リーダ・ライタ２におけるパスワードのストックが少なくなった場合など）で取得するようにしてもよい。
【００４２】
通信部３３は、制御部３１の制御のもとインターネット４に接続し、所定のデータを送受する。バス３４は、各部間で相互にデータを伝送する。
【００４３】
次に、上記構成の利用者登録システム１００の動作について説明する。
【００４４】
先ず、リーダ・ライタ２が、ＩＣカード１５を検出した際の動作について説明する。図６は、リーダ・ライタ２の非接触通信部２４がＩＣカード１５を検出した際に、制御部２１が実行するＩＣカード検出時処理の動作を示すフローチャートである。
【００４５】
ＩＣカード検出時処理では、先ず、制御部２１は、ＩＣカード１５からＩＣカード１５固有のＩＣカードＩＤを読み取る（ステップＳ１０１）。
【００４６】
その後、制御部２１は、記憶部２２からＵＲＬとパスワードを取得する（ステップＳ１０２）。ここで取得したパスワードは、二度と使用されないようにするため記憶部２２から消去したり、使用済みの属性を付加する。
【００４７】
そして、制御部２１は、ステップＳ１０２にて取得したＵＲＬにパスワードを付加してＩＣカード１５に送信する（ステップＳ１０３）。
【００４８】
次に、制御部２１は、ステップＳ１０１にて読み取ったＩＣカードＩＤを、利用端末ＩＤと、リーダ・ライタ２において提供するサービス（提供サービス）の情報と、計時部２６から取得した利用日時（現在時刻）と、ステップＳ１０２にて取得したパスワードと、に対応付けるＩＣカードＩＤ対応付け処理を実行する（ステップＳ１０４）。そして、制御部２１は、対応付けた対応付け情報をサーバ３に送信して（ステップＳ１０５）、ＩＣカード検出時処理を終える。
【００４９】
このようにして、リーダ・ライタ２は、ＩＣカード１５を検出すると、ＩＣカード１５（携帯端末１）に利用者登録をするためにアクセスする必要があるＵＲＬを送信するとともに、サーバ３に対応付け情報を送信する。
【００５０】
次に、サーバ３が対応付け情報をリーダ・ライタ２から受信した際や、携帯端末１から接続された際の動作について説明する。図７は、サーバ３が対応付け情報をリーダ・ライタ２から受信した際に実行する情報受信時処理の動作を示すフローチャートである。
【００５１】
情報受信時処理では、先ず、サーバ３の制御部３１は、受信した対応付け情報のＩＣカードＩＤが利用者登録情報としてサーバ３の記憶部３２に登録済みか否かを判別する（ステップＳ２０１）。
【００５２】
ＩＣカードＩＤが登録済みでなければ（ステップＳ２０１；Ｎｏ）、制御部３１は、リーダ・ライタ２から受信した対応付け情報に基づいて、利用者登録情報を記憶部３２に仮登録し（ステップＳ２０２）、情報受信時処理を終える。利用者登録情報の仮登録では、登録状況のステータスが「仮登録」となり、「ＩＣカードＩＤ」、「登録端末ＩＤ」、「提供サービス」、「登録日時」、「登録状況」、「パスワード」が対応付けて記憶される。「仮登録」の登録状況では、サービスや情報の閲覧が制限される。また、仮登録においては、対応付け情報における「利用端末ＩＤ」、「利用日時」は、利用者登録情報では「登録端末ＩＤ」、「登録日時」として登録される。これにより、初回登録日、及び、初回登録時のリーダ・ライタ２を特定可能になり、例えば登録１年後に登録情報の更新を促すなどすることができる。
【００５３】
ＩＣカードＩＤが登録済みであれば（ステップＳ２０１；Ｙｅｓ）、制御部３１は、リーダ・ライタ２から受信した対応付け情報に基づいて、利用者登録情報に利用日時、利用端末を格納し（ステップＳ２０３）、情報受信時処理を終える。
【００５４】
図８は、サーバ３が携帯端末１から接続された際に実行する接続時処理の動作を示すフローチャートである。接続時処理では、先ず、制御部３１は、携帯端末１から送信される携帯端末ＩＤが登録済みであるか否かを判定する（ステップＳ３０１）。なお、携帯端末１からサーバ３への接続は、リーダ・ライタ２からＩＣカード１５を経由してＵＲＬを取得した携帯端末１から、ユーザが任意のタイミングで行う。この実施の携帯の携帯端末１は、ＵＲＬ接続時に自動的に自己を識別するための携帯端末ＩＤを送信する構成である。
【００５５】
携帯端末ＩＤが登録済みでなければ（ステップＳ３０１；Ｎｏ）、携帯端末１から送信される（ＵＲＬに付加される）パスワードがサーバ３から配布済みのパスワードであるか否かを判別する（ステップＳ３０２）。ここでは、記憶部３２の配布済みパスワードテーブルを検索し、携帯端末１から送信されるパスワードに一致するパスワードがあるか否かを判別する。
【００５６】
パスワードが配布済みのパスワードであれば（ステップＳ３０２；Ｙｅｓ）、認証は成功であると判別し、制御部３１は、パスワードが一致する利用者登録情報を本登録する（ステップＳ３０３）。利用者登録情報の本登録では、利用者登録情報に携帯端末ＩＤが対応付けられ、登録状況のステータスが「本登録」となり、全てのサービスが利用可能となる。なお、接続時処理と、図７に示した情報受信時処理と、は同期していないため、ステップＳ２０２の仮登録前に、ステップＳ３０３の本登録の処理が実行される可能性がある。この場合、ステップＳ３０３において登録状況のステータスが「仮登録」として、ステップＳ２０２において「本登録」とするようにすればよい。
【００５７】
その後、制御部３１は、本登録が完了したことを示す画面を生成し、携帯端末１に送信する（ステップＳ３０４）。その後、接続時処理を終える。
【００５８】
ステップＳ３０２において、パスワードが配布済みのパスワードでなければ（ステップＳ３０２；Ｎｏ）、利用者登録情報の本登録は行わず、認証は失敗であると判別し、制御部３１は、パスワード認証がエラーであることを示すエラー場面を生成し、携帯端末１に送信する（ステップＳ３０５）。その後、接続時処理を終える。
【００５９】
ステップＳ３０１において、携帯端末ＩＤが登録済みであれば（ステップＳ３０１；Ｙｅｓ）、利用者向け情報を生成し、携帯端末１に送信する（ステップＳ３０６）。その後、接続時処理を終える。ここで、利用者向け情報とは、アクセスがあった携帯端末１において利用可能なサービスの情報（割引クーポン情報やポイント情報）である。
【００６０】
以上のようにして、携帯端末１に特別な構成を備えることなく、携帯端末１からＵＲＬに接続するだけで、利用者登録情報を登録することができ、また、利用者向け情報を取得することができる。
【００６１】
次に、利用者登録システム１００全体の動作の具体例について説明する。図９は、利用者登録システム１００においてサーバ３に利用者登録情報を登録する際の動作を示す流れ図である。リーダ・ライタ２の非接触通信部２４がＩＣカード１５を検出すると、リーダ・ライタ２の制御部２１は、図６に示したＩＣカード検出時処理の実行を開始する。先ず、制御部２１は、そのＩＣカード１５固有のＩＣカードＩＤ（図中では「ａ」）を読み取る（ステップＳ１０１）。
【００６２】
その後、制御部２１は、記憶部２２からＵＲＬとパスワードを取得し（ステップＳ１０２）、取得したＵＲＬにパスワードを付加してＩＣカード１５に送信する（ステップＳ１０３）。携帯端末１は、ＩＣカード１５に受信したＵＲＬを表示部１４に表示するとともに、ＵＲＬ（＋パスワード）を記憶部１２に記憶する。これにより、携帯端末１のユーザは、以降任意のタイミングでそのＵＲＬ（サーバ３）にアクセスすることができる。
【００６３】
次に、制御部２１は、ステップＳ１０１にて読み取ったＩＣカードＩＤ「ａ」を、利用端末ＩＤ（図中では「１ａ」と、提供サービス（図中では「クーポン」）と、登録日時と、パスワード（図中では「１１１１１１」）と、に対応付けるＩＣカードＩＤ対応付け処理を実行する（ステップＳ１０４）。そして、制御部２１は、対応付けた対応付け情報をサーバ３に送信して（ステップＳ１０５）、ＩＣカード検出時処理を終える。
【００６４】
一方、対応付け情報をリーダ・ライタ２から受信したサーバ３の制御部３１は、図７に示した情報受信時処理の実行を開始する。先ず、制御部３１は、受信したＩＣカードＩＤ「ａ」が利用者登録情報として登録済みか否かを判別し（ステップＳ２０１）、ＩＣカードＩＤ「ａ」が登録済みでないので（ステップＳ２０１；Ｎｏ）、制御部３１は、リーダ・ライタ２から受信した対応付け情報に基づいて、利用者登録情報を記憶部３２に仮登録する（ステップＳ２０２）。
【００６５】
その後、携帯端末１から接続されたことにより、制御部３１は、パスワード認証を行い（ステップＳ３０２）、パスワード認証が成功すれば利用者登録情報を本登録し（ステップＳ３０３）、本登録が完了したことを示す画面を生成し、携帯端末１に送信する（ステップＳ３０４）。携帯端末１では、本登録が完了したことを示す画面を表示部１４に表示する。これにより、ユーザは利用者登録情報の本登録が完了したことが分かる。
【００６６】
以上のようにして、ワンタイムパスワードを利用して携帯端末ＩＤの照合を行うので、携帯端末１に特別な構成を備えることなく、サーバ３に利用者登録情報を容易に登録することができる。また、携帯端末１からＩＣカードＩＤ及び携帯端末ＩＤを同時に送信する必要がないので、セキュリティが向上する。
【００６７】
続いて、初回登録時以外に携帯端末１をリーダ・ライタ２にかざしてＵＲＬを入手し、利用者向け情報（サービスの情報など）を受け取る際の具体的な動作について説明する。図１０は、利用者登録システム１００においてサーバ３の利用者登録情報を更新する際の動作を示す流れ図である。
【００６８】
リーダ・ライタ２の動作については、図９に示した例と同様である。図１０の例では、パスワードが「２２２２２２」であって、利用端末ＩＤが「３ｌ」である点が異なる。
【００６９】
対応付け情報をリーダ・ライタ２から受信したサーバ３の制御部３１は、図７に示した情報受信時処理の実行を開始する。先ず、制御部３１は、受信したＩＣカードＩＤ「ａ」が利用者登録情報として登録済みか否かを判別し（ステップＳ２０１）、ＩＣカードＩＤ「ａ」が登録済みなので（ステップＳ２０１；Ｙｅｓ）、制御部３１は、リーダ・ライタ２から受信した対応付け情報に基づいて、利用者登録情報に利用日時、利用端末を格納する（ステップＳ２０３）。これにより、利用者登録情報が更新され、携帯端末１において新たなサービスが利用可能になる。
【００７０】
その後、携帯端末１から接続されると、携帯端末ＩＤ「Ａ」が登録済みなので（ステップＳ３０１；Ｙｅｓ）、対応する利用者向け情報を携帯端末１に配信する（ステップＳ３０６）。このように、携帯端末１から自動的に送信される携帯端末ＩＤに基づいて、対応する利用者向け情報を配信するので、携帯端末１に特別な構成を備えることなく、ユーザは簡単な操作で新たな利用者向け情報（クーポン情報等）を参照することができる。
【００７１】
次に、サーバ３に利用者登録情報が登録された携帯端末１のＩＣカード１５がリーダ・ライタ２に読み取られた際に、サーバ３がサービス（ここではクーポン）を利用する際の動作について説明する。図１１は、利用者登録システム１００においてクーポンを利用する際の動作を示す流れ図である。
【００７２】
まず、リーダ・ライタ２の非接触通信部２４は、非接触通信によりＩＣカード１５を検出すると、図６で示した例と同様に、そのＩＣカード１５固有のＩＣカードＩＤ（図中では「ａ」）を読み取る（ステップＳ１１）。なお、クーポン利用時においては、リーダ・ライタ２は、図６に示したＩＣカード検出時処理とは異なる動作を実行する。なお、クーポン利用時のリーダ・ライタはＩＣカード検出処理を実行するリーダ・ライタ２とは別のクーポン利用時専用のリーダ・ライタ２であってもよい。
【００７３】
次に、リーダ・ライタ２の制御部２１は、ステップＳ１１で読み取ったＩＣカードＩＤ「ａ」をサーバ３に送信する（ステップＳ１２）。
【００７４】
サーバ３が、リーダ・ライタ２からＩＣカードＩＤを受信すると、サーバ３の制御部３１は、そのＩＣカードＩＤをキーに記憶部３２の利用状況情報を検索し、ＩＣカードＩＤに紐付く提供サービス（クーポン）を検索する（ステップＴ１１）。利用状況情報は、図１１に示すように、「ＩＣカードＩＤ」、「携帯端末ＩＤ」、「提供サービス」、「利用状況」などが対応付けられる。「利用状況」は「提供サービス」の利用状況を示している。利用状況情報は、例えば、利用者登録情報に基づいて制御部３１が生成する。
【００７５】
ここで、ＩＣカードＩＤに紐付く提供サービスがあれば、そのサービスデータをリーダ・ライタ２に送信する（ステップＴ１２）
【００７６】
リーダ・ライタ２がサービスデータを受信すると、制御部２１が、そのサービスデータを出力部２５からレジスターやＰＯＳ端末などに出力する（ステップＳ１３）。そして、それを受けたレジスターやＰＯＳ端末などにおいて、利用するサービスの選択操作が行われると、制御部２１は、利用端末ＩＤや利用日時の情報を含むサービスの利用情報をサーバ３に送信する（ステップＳ１４）。
【００７７】
サーバ３が、リーダ・ライタ２から利用情報を受信すると、制御部３１は、利用情報に基づいて、利用状況情報を更新する（ステップＴ１３）。ここでは、例えば、図１１に示すように、利用状況を「使用済み」に更新するとともに、サービスを利用したリーダ・ライタ２の利用端末ＩＤや利用日時を利用状況情報に付加する。
【００７８】
その後、サーバ３からリーダ・ライタ２に利用状況情報を更新した旨を示す更新結果情報が送信され、それを受けたリーダ・ライタ２は、サービスの利用結果情報を出力部２５からレジスターやＰＯＳ端末などに出力し、レジスターやＰＯＳ端末に表示させる（ステップＳ１５）。
【００７９】
このようにして、ユーザは携帯端末１をリーダ・ライタ２にかざすだけで、サービスデータを受け取ることができる。
【００８０】
また、ユーザが携帯端末１からサーバ３にアクセスする際に、携帯端末ＩＤを送信するだけで、ユーザを認証することができるので、特別な登録操作などを必要とせず、登録情報やサービスの利用状況などを閲覧できるようになる。
【００８１】
なお、この発明は上記実施形態に限定されず、種々の変形及び応用が可能である。上記実施の形態では、携帯端末ＩＤとＩＣカードＩＤとが別々の識別情報であるものとして説明したが、これらが同一の識別情報であってもよい。
【００８２】
また、パスワードは、初回登録時の認証にのみ使用するものなので、初回以外はＵＲＬにパスワードを付加しなくてもよい。例えば、ユーザからＵＲＬの問い合わせがあった場合には、パスワードを付加しないＵＲＬを通知するようにしてもよい。
【００８３】
また、上記実施の形態では、リーダ・ライタ２の記憶部２２は、リーダ・ライタ２に内蔵されているものとして説明したが、リーダ・ライタ２の外部に設けられてもよい。また、リーダ・ライタ２はレジスターやＰＯＳ端末と一体に構成されたものであってもよい。
【００８４】
上記実施の形態では、リーダ・ライタ２とサーバ３はインターネット４を介して接続されるものとして説明したが、よりセキュリティを高めるためにＬＡＮ（Local Area Network）やＷＡＮ（Wide Area Network）などの専用線を使用するようにしてもよい。なお、上記実施の形態では、携帯端末１として携帯電話やＰＨＳなど電話端末の例を説明したが、通信制御機能を備えた端末であればよく、例えば、ＩＣカード機能を内蔵したＰＤＡ（Personal Digital Assistant）等であってもよい。
【００８５】
また、利用者登録情報の項目として、クーポンやサービスの利用履歴を記憶するようにして、マーケティングに利用するようにしてもよい。このような利用履歴を記憶することで、クーポンによる集客効果を容易に確認することができるようになる。
【００８６】
また、利用者登録情報の項目として、決済金額を集計するようにしてもよい。この場合、レジスターやＰＯＳ端末からリーダ・ライタ２を介して決済情報を取得する。そして、この決済金額に応じたクーポンやポイントを発行するようにしてもよい。
【００８７】
また、上記実施の形態の図６に示した処理では、ステップＴ３において登録状況を「仮登録」としていたが、ここで登録状況を「本登録」とするようにしてもよい。
【００８８】
上記実施形態では、制御部２１が実行するプログラムは、予め記憶部２２に格納されているものとして説明した。また、制御部３１が実行するプログラムは、予め記憶部３２に格納されているものとして説明した。なお、実行プログラムは、外部記憶媒体や通信網を介して記憶部に格納されるものであってもよい。
【符号の説明】
【００８９】
１  携帯端末
２  リーダ・ライタ
３  サーバ
４  インターネット
１００  利用者登録システム
【図１】
2010181988.tif 000003
【図２】
2010181988.tif 000004
【図３】
2010181988.tif 000005
【図４】
2010181988.tif 000006
【図５】
2010181988.tif 000007
【図６】
2010181988.tif 000008
【図７】
2010181988.tif 000009
【図８】
2010181988.tif 000010
【図９】
2010181988.tif 000011
【図１０】
2010181988.tif 000012
【図１１】
2010181988.tif 000013